(57)【要約】      （修正有）【課題】ロック爪をロック枠に係止するロック装置において、係合面に隙間を発生させず、ガタ付きの発生を低減し、治具を用いずにロック解除できるロック装置を提供する。【解決手段】ワイヤハーネスに取り付けられ、互いに結合される樹脂成形品からなる第一部材と第二部材とに設けたロック装置であって、第一部材に向けて第二部材から係止片を突設し、係止片の肉厚を先端に向けて次第に減少して外面を傾斜面とし、傾斜した外面に鋸歯状に連続する係止爪を設ける一方、第一部材に垂直方向の可動被係止片を設け、可動被係止片は支持枠より第一部材側の上方に向けて突出する上側部の内面は上方外向きに傾斜させ、係止爪と係合する鋸歯状の係止溝を連続的に設け、可動被係止片の前記支持枠より下方へ突出する部分を押圧解除部とし、係止片を前記第一部材と可動被係止片の間に挿入して、連続する複数箇所で係止爪と係止溝とを噛み合わせてロック結合している。【選択図】図２
2010220451.tif 000002
【特許請求の範囲】
【請求項１】
ワイヤハーネスに取り付けられ、互いに結合される樹脂成形品からなる第一部材と第二部材とに設けたロック装置であって、
前記第一部材に向けて前記第二部材から係止片を突設し、該係止片の肉厚を先端に向けて次第に減少して外面を傾斜面とし、該傾斜した外面に鋸歯状に連続する係止爪を設けている一方、  
前記第一部材の外面より水平方向の支持枠を突設し、該支持枠の外端に垂直方向の可動被係止片を設け、該可動被係止片は前記支持枠より前記第一部材側の上方に向けて突出する上側部の内面は上方外向きに傾斜させると共に、前記係止爪と係合する鋸歯状の係止溝を連続的に設けると共に、該可動被係止片の前記支持枠より下方へ突出する部分を押圧解除部とし、
前記係止片を前記第一部材と可動被係止片の間に挿入して、連続する複数箇所で前記係止爪と係止溝とを噛み合わせてロック結合すると共に、前記押圧解除部を押すと前記係止爪から係止溝が外れてロック解除できる構成としていることを特徴とするロック装置。
【請求項２】
前記連続する係止溝と係止爪は、いずれも少なくとも３個以上を上下段で連続して設け、該各係止溝および各係止爪は水平面と傾斜面とで囲んだ溝であり、傾斜面は水平面に対して下向き３０〜４５゜で突出し、かつ、連続する前記溝ピッチは３〜４ｍｍである請求項１に記載のロック装置。
【請求項３】
ワイヤハーネスを貫通保護するプロテクタの蓋を前記第二部材とし、プロテクタの本体を前記第一部材とし、
前記蓋の上壁の外端縁又は蓋の周壁の下端から前記係合片を突設し、前記本体の周壁の外面より前記支持枠を介して可動被係止片を突設している請求項１または請求項２に記載のロック装置。
【発明の詳細な説明】
【技術分野】
【０００１】
本発明は２つの部材を結合するロック装置に関し、詳しくは、ワイヤハーネスに取り付けられるプロテクタの本体と蓋とを結合するロック装置として好適に用いられるものである。
【背景技術】
【０００２】
自動車に配索される電線群の集束体であるワイヤハーネスに外装し、ワイヤハーネスの保護および配索方向を規制する部材として、樹脂成形品の本体と蓋とからなるプロテクタが汎用されている。該プロテクタは断面コ字状の本体内部にワイヤハーネスを貫通した後に、本体に、本体と別体の蓋あるいは本体の一側壁にヒンジ結合した蓋を、本体と蓋とに設けた係止部と被係止部とを結合してロックしている。
また、ワイヤハーネスを接続する電気接続箱においても、本体に分岐接続回路を構成する内部回路体を収容し、蓋を本体にロック結合している。
このようにワイヤハーネスに取り付ける樹脂成形品からなる部材には、ロック装置が設けられていることが多い。
【０００３】
この種のロック装置は、通常、図６に示すように、本体１００の外面から係止枠１０１を突設する一方、蓋１１０の外面から下向きに係止片１１１を突設し、その下端に係止爪１１２を設け、係止爪１１２を係止枠１０１の外枠部１０１ａの下面に係合してロック結合している。
また、前記と同様なロック装置とした特開平５−２５２６３４号公報のロック装置では、図７に示すように、本体１００の周壁には係止枠１０１の上方に凹部１０２を設けている。
【先行技術文献】
【特許文献】
【０００４】
【特許文献１】特開平５−２５２６３４号公報
【発明の概要】
【発明が解決しようとする課題】
【０００５】
従来汎用されている図６に示すロック装置では、蓋１１０の係止爪１１２を本体１００の外面１００ａと係止枠１０１の間の空間を通過させる際、係止枠１０１を外方に撓ませて通過させるために、係止爪１１２を係止枠１０１の外枠部１０１ａの下面に係合した状態でクリアランスＣを設けておく必要がある。しかしながら、このクリアランスＣにより、ロック状態でガタ付きが発生し、自動車の走行時にガタ付きにより異音が発生する問題がある。特に、プロテクタを室内側に配置する場合、静寂とする室内に異音が響くことになり、異音の発生を無くすことが求められている。
図７に示す特許文献１のロック装置では、本体１００の上端に凹部１０２を設けることにより、蓋１１０の全体を撓ませて係止爪１１２を本体外面１００ａと係止枠１０１の間の空間を貫通させ、係止爪１１２を係止枠１０１の外枠部１０１ａの下面に係止した状態で蓋１１０を弾性復帰させ、これにより、係止爪と係止枠との係止面にクリアランスを発生させないようにしている。しかしながら、このようにロック結合すると、ロックを解除して蓋１１０を取り外す場合に治具が必要となる問題がある。かつ、ロック状態で凹部１０２からなる切欠部が生じることになり、被水領域に配置すると該凹部１０２から浸水が発生する恐れがある。
【０００６】
本発明は前記問題に鑑みてなされたもので、係止爪と係止枠との係合面で発生するクリアランスによるガタ付きを減少あるいは無くして異音の発生を抑制し、かつ、ロックを治具を用いることなく解除できるロック装置を提供することを課題としている。
【課題を解決するための手段】
【０００７】
前記課題を解決するため、本発明は、ワイヤハーネスに取り付けられ、互いに結合される樹脂成形品からなる第一部材と第二部材とに設けたロック装置であって、
前記第一部材に向けて前記第二部材から係止片を突設し、該係止片の肉厚を先端に向けて次第に減少して外面を傾斜面とし、該傾斜した外面に鋸歯状に連続する係止爪を設けている一方、
前記第一部材の外面より水平方向の支持枠を突設し、該支持枠の外端に垂直方向の可動被係止片を設け、該可動被係止片は前記支持枠より前記第一部材側の上方に向けて突出する上側部の内面は上方外向きに傾斜させると共に、前記係止爪と係合する鋸歯状の係止溝を連続的に設けると共に、該可動被係止片の前記支持枠より下方へ突出する部分を押圧解除部とし、
前記係止片を前記第一部材と可動被係止片の間に挿入して、連続する複数箇所で前記係止爪と係止溝とを噛み合わせてロック結合すると共に、前記押圧解除部を押すと前記係止爪から係止溝が外れてロック解除できる構成としていることを特徴とするロック装置を提供している。
【０００８】
従来のロック装置では、例えば、本体と蓋との２部材とをロック結合する時、一方に設けた１つの係止爪を他方の１つの係止枠に係止して、１カ所で係合して結合しているため、この１カ所の係合面にクリアランスが生じるとロック部にはガタ付きが生じて異音が発生する。これに対して、本発明では、前記のように、係止爪を鋸歯状に連続させると共に、該係止爪と係合させる被係止溝も鋸歯状の係止溝とし、連続した複数箇所で係止爪を係止溝とを係合させることにより、係止爪と係止溝との間のクリアランスの発生を減少または無くすことができ、ロック部のガタ付きによる異音の発生を低減あるいは防止できる。
また、被係止片を前記のように可動被係止片としているため、複数箇所での係止爪と係止溝との係合に要する力を低減できる。
また、可動被係止片の下部の押圧解除部を外部から押すだけでロックを解除でき、ロック解除時に治具を必要としない。
【０００９】
前記第一部材の外面から前記支持枠および可動被係止片を挟むように両側枠を突設し、可動被係止片の係止溝と係止片の係止爪とが左右方向にずれるのを防止することが好ましい。
【００１０】
前記連続する係止溝と係止爪は、いずれも少なくとも３個以上を上下段で連続して設け、該各係止溝および各係止爪は水平面と傾斜面とで囲んだ溝であり、傾斜面は水平面に対して下向き３０〜４５゜で突出し、かつ、連続する前記溝ピッチは３〜４ｍｍとしていることが好ましい。
【００１１】
前記第一部材と第二部材は、ワイヤハーネスを貫通保護するプロテクタの蓋と本体とからなり、蓋を前記第二部材とし、プロテクタの本体を前記第一部材とし、前記蓋の上壁の外端縁又は蓋の周壁の下端から前記係合片を突設し、前記本体の周壁の外面より前記可動被係止片を突設していることが好ましい。
【００１２】
前記プロテクタに限らず、ワイヤハーネスを接続する電気接続箱のケース本体と該ケース本体に取り付ける蓋との間のロック装置にも好適に用いられる。かつ、該電気接続箱やプロテクタに限らず、ワイヤハーネスに取り付ける第一部材と第二部材とをロック結合する組み立て部品に用いることができる。
【発明の効果】
【００１３】
上述したように、本発明のロック装置は、第一部材に鋸歯状の係止溝を設けた可動被係止片を設け、第二部材に前記係止溝と係合する鋸歯状の係止爪を設けた係止片を設け、連続する複数箇所で係止爪と係止溝とを係合してロック部を形成しているため、該ロック部ではガタ付きが発生しにくく、異音の発生を低減または防止できる。
かつ、ロック解除時には可動被係止片を押すだけでロック解除でき、治具を必要としない利点がある。
【図面の簡単な説明】
【００１４】
【図１】第一実施形態のロック装置を備えたプロテクタを示す概略全体図である。
【図２】プロテクタの本体と蓋とのロック部分を示し、（Ａ）は拡大斜視図、（Ｂ）は拡大断面図である。
【図３】（Ａ）は係止片の挿入過程を示す断面図、（Ｂ）はロック時の断面図、（Ｃ）はロック解除時の断面図である。
【図４】第一実施形態の変形例を示す図面である。
【図５】第二実施形態を示す斜視図である。
【図６】従来例を示す図面である。
【図７】他の従来例を示す図面である。
【発明を実施するための形態】
【００１５】
以下、本発明の実施形態を図面を参照して説明する。
図１乃至図３に示す第一本実施形態のロック装置は、自動車に配索するワイヤハーネス１に対して所要箇所に外装するプロテクタ２の本体３と蓋４とのロック装置に関する。本体３が第一部材、蓋４が第二部材に相当し、本体３にワイヤハーネス１を貫通した後に蓋４を被せてロックしている。
【００１６】
プロテクタ２の本体３は底壁５と両側の側壁６を備えた断面コ字形状であり、蓋４は本体３の上端開口８を閉鎖する上壁９を有する平板形状であり、本体３および蓋４はいずれも樹脂成形品からなる。
【００１７】
前記本体３の両側の側壁６の上端に沿って間隔をあけてロック装置の一方部材を構成する可動被係止片１０と支持枠１１を突設している。支持枠１１は側壁６の外面より水平方向に突出し、その先端外面に垂直方向の可動被係止片１０を設けている。可動被係止片１０は支持枠１１より上方に向けて突出する上側部１０ａの内面は上方外向きに傾斜させ、該傾斜面に鋸歯状の係止溝１２を連続的に設けている。この連続的に設けた係止溝１２と側壁６の外面６ａとの間を蓋４から突設する係止片１５の挿入空間１８としている。該可動被係止片１０は支持枠１１より下方へ突出する部分を設け、該部分を押圧解除部１３とし、押圧解除部１３の外面を側壁６側へ押すと、上側部１０ａが支持枠１１との連続部を支点として外方向に回転して前記空間１８を開くようにしている。
【００１８】
また、本体３の側壁６の外面には、前記支持枠１１および可動被係止片１０とは固着せず、挟むように両側枠１４Ａ、１４Ｂを突出し、前記空間１８を囲むようにしている。
【００１９】
一方、蓋４の上壁９の幅方向両端から前記可動被係止片１０と対向する位置に下向きに、ロック装置の他方部材となる係止片１５を突設している。
係止片１５は、本体３の側壁６と接触させる面は垂直面１５ａとする一方、その肉厚を下方先端に向けて次第に減少して外面を傾斜面とし、該傾斜した外面に鋸歯状に連続する係止爪１７を設けている。
【００２０】
前記本体３側の鋸歯状に連続した係止溝１２と、蓋４側の鋸歯状に連続した係止爪１７とは互いに連続した複数箇所で係合するように設定している。
本実施形態では係止溝１２および係止爪１７は上下７段としているが、３段以上であれば良い。
【００２１】
係止溝１２の各溝１２ａは水平面１２ａ１と傾斜面１２ａ２とで囲んだ形成とし、傾斜面１２ａ２は水平面１２ａ１に対して下向き角度θ１を３０〜４５゜とし、係止溝のピッチは３〜４ｍｍとしている。
係止爪１７の各爪１７ａも水平面１７ａ１と傾斜面１７ａ２とで形成し、傾斜面１７ａ２は水平面１７ａ１に対して下向き角度θ２を３０〜４５゜とし、爪１７ａのピッチは３〜４ｍｍとしている。
【００２２】
図１に示すように、本体３にワイヤハーネス１を貫通した後に、本体３の上端開口８に蓋４を被せて、本体３と蓋４とをロック結合している。ロック方法を以下に説明する。
【００２３】
図３（Ａ）に示すように、本体３の上端開口８に被せた蓋４から下向きに突出する係止片１５を、本体３の両側の側壁６の外面６ａに摺接させて、外面６ａと可動被係止枠１０の間の空間１８に挿入する。該挿入時には係止片１５の挿入側の先端に向けて肉厚を薄くしているため挿入力は軽いが、係止片１５の各係止爪１７は可動被係止片１０の各係止溝１２の傾斜面１２ａ２の突出端を外側へ若干押しながら連続的に乗り越えて下方へ挿入する。蓋４の上壁９の下面が本体３の側壁６の上端面に当接した位置で、下端の係止爪１７ｕが下端の係止溝１２ｕと係合し、各係止爪１７が夫々各係止溝１２と係合し、７箇所で係止爪１７が係止溝１２と係合する。
【００２４】
図３（Ｂ）に示すように、連続した複数段で係止爪１７が係止溝１２に係合するため、係止爪１７を設けた係止片１５は係止溝１２を設けた可動被係止片１０と強固に係合できガタ付きの発生なくロック結合できる。よって、ガタ付きによる異音の発生を無くすことができる。かつ、両側枠１４Ａ、１４Ｂで挟んでいるため、係止爪１７と係止溝１２とはずれて外れることも無い。
【００２５】
前記のように本体３に蓋４をロック結合した後に、蓋４を本体３から取り外す必要が発生した場合には、可動被係止片１０の下部の押圧解除部１３の外面を側壁６側へ押すと、図３（Ｃ）に示すように、上側部１０ａが支持枠１１との連続部を支点として外方向に回転して空間１８を開く。よって、係止爪１７は係止溝１２から外れるため、係止片１５を上方へと移動させて蓋４を本体３から取り外すことができる。
【００２６】
図４に変形例を示す。
変形例では、蓋４の上壁９の幅方向両側から下向きの周壁２０を設け、該周壁２０の下端から前記係止片１５を突設している。
他の構成および作用は第一実施形態と同一であるため、同一符号を付して説明を省略する。
【００２７】
また、前記蓋４は本体３の一方側の側壁と薄肉ヒンジ部を介して一体的に設け、蓋４の幅方向の他端側と本体３の他方側の側壁とに前記係止片と、可動被係止片とを設けてもよく、プロテクタは前記実施形態に限定されない。
【００２８】
図５に第二実施形態を示す。
第二実施形態では、ワイヤハーネス１を接続するジャンクションボックス等の電気接続箱２１のロック装置として、本発明を適用している。
該電気接続箱２１の内部回路材を収容する本体ケース２２に可動被係止片１０を設ける一方、本体ケース２２の上部に被せるカバー２３の周壁２０に前記係止片１５を設けている。この場合、本体ケース２２が第一部材、カバー２３が第二部材となる。
他の構成および作用は第一実施形態と同様であるため、同一符号を付して説明を省略する。
【符号の説明】
【００２９】
１  ワイヤハーネス
２  プロテクタ
３  本体（第一部材）
４  蓋（第二部材）  
６  側壁
６ａ  外面
１０  可動被係止片
１１  支持枠
１２  係止溝
１３  押圧解除部
１５  係止片
１７  係止爪
１８  空間
２１  電気接続箱
２２  本体ケース
２３  カバー
【図１】
2010220451.tif 000003
【図２】
2010220451.tif 000004
【図３】
2010220451.tif 000005
【図４】
2010220451.tif 000006
【図５】
2010220451.tif 000007
【図６】
2010220451.tif 000008
【図７】
2010220451.tif 000009